(57)【要約】【課題】ソーシャルネットワーキングサービスを介したコンテストの告知活動を効率的に行えるようにする。【解決手段】コンテストシステム１は、ＳＮＳ管理サーバ装置１０と、個人情報管理サーバ装置１１と、アフィリエータ管理サーバ装置１２とを有する。美人コンテストの主催者Ｘは、ソーシャルネットワークの一つであるFacebookにおいてコンテストを開催し、その告知をアフィリエータＹ−ｍを通じて行う。Facebookの閲覧者Ｚ−ｎは、美人コンテストに参加する場合は、参加者ＺＡＰ−ｎとして個人情報ＩＮＦを送信する。この個人情報ＩＮＦは、ＳＮＳ管理サーバ装置１０から個人情報管理サーバ装置１１を経由して主催者Ｘに提供される。【選択図】図４
2014038563.tif 000002
【特許請求の範囲】
【請求項１】
コンテストの主催者のコンピュータ装置が、ソーシャルネットワーキングサービスの管理サーバ装置内における自身の専用サイトにコンテストの概要を示すコンテンツ情報を送信する第１の行程と、
前記コンテストの投票者のコンピュータ装置が、前記専用サイト内の複数のエントリ項目のうち当該投票者が一票を投じたものの識別情報を含むメッセージを前記管理サーバ装置に送信する第２の行程と、
前記管理サーバ装置が、前記エントリ項目の識別情報を含むメッセージを受信した場合に、当該メッセージに含まれる識別情報を取り出し、前記専用サイト内における当該識別情報が示すエントリ項目の得票数をインクリメントする第３の工程と
前記コンテストの応募者のコンピュータ装置が、当該応募者の個人情報を含むメッセージを前記管理サーバ装置に送信する第４の行程と、
前記管理サーバ装置が、前記応募者の個人情報を含むメッセージを受信した場合に、当該メッセージに含まれる個人情報を取り出し、取り出した個人情報の一部または全部を新たなエントリ項目として前記専用サイトに追加するとともに、当該個人情報を個人情報管理サーバ装置に送信する第５の行程と
を有することを特徴とするコンテスト支援方法。
【請求項２】
前記ソーシャルネットワーキングサービスはフェイスブックであることを特徴とする請求項１に記載のコンテスト支援方法。
【請求項３】
前記コンテストの主催者のコンピュータ装置が、ネットワーク上における前記専用サイトの所在位置を示すＵＲＬの末尾に前記主催者の委託の下にコンテストの告知を行うアフィリエータの識別情報を付加したＵＲＬを含むメッセージを前記各アフィリエータのコンピュータ装置に送信する行程を有することを特徴とする請求項１に記載のコンテスト支援方法。
【発明の詳細な説明】
【技術分野】
【０００１】
この発明は、ソーシャルネットワーキングサービスを利用したコンテストの開催を支援する技術に関する。
【背景技術】
【０００２】
ソーシャルネットワーキングサービスを介した情報の流通や人的つながりの構築を促す技術が各種提案されている。たとえば、特許文献１には、ソーシャルネットワーキングサービスのアカウントを保有している利用者にその携帯電話からソーシャルネットワーキングサービスのサイトにアクセスさせ、このサイトを通じて会員制の電子マネーによる決済を行わせるようにした会員制Ｗｅｂ電子マネーサイト管理システムの開示がある。
【先行技術文献】
【特許文献】
【０００３】
【特許文献１】特開２００８−３０５１１２号公報
【発明の概要】
【発明が解決しようとする課題】
【０００４】
ところで、ソーシャルネットワーキングサービスのサイトは、友人・知人間のコミュニケーションの促進や見知らぬもの同士の情報の流通を円滑に行うための様々な機能を提供している。このため、ソーシャルネットワーキングサービスのサイトを各種コンテストの告知活動と結びつけることができれば大きなマーケティング効果を発揮できるはずであるが、このような技術は未だ実用化に至っていない。
【０００５】
本発明は、このような背景の下に案出されたものであり、ソーシャルネットワーキングサービスを介したコンテストの開催を効率的に行えるようにすることを目的とする。
【課題を解決するための手段】
【０００６】
上記課題を解決するため、本発明は、コンテストの主催者のコンピュータ装置が、ソーシャルネットワーキングサービスの管理サーバ装置内における自身の専用サイトにコンテストの概要を示すコンテンツ情報を送信する第１の行程と、前記コンテストの応募者のコンピュータ装置が、当該応募者の個人情報を含むメッセージを前記管理サーバ装置に送信する第２の行程と、前記管理サーバ装置が、前記応募者の個人情報を含むメッセージを受信した場合に、当該メッセージに含まれる個人情報を取り出し、取り出した個人情報の一部または全部を新たなエントリ項目として前記専用サイトに追加するとともに、当該個人情報を個人情報管理サーバ装置に送信する第３の行程と、前記コンテストの投票者のコンピュータ装置が、前記専用サイト内の複数のエントリ項目のうち当該投票者が一票を投じたものの識別情報を含むメッセージを前記管理サーバ装置に送信する第４の行程と、前記管理サーバ装置が、前記エントリ項目の識別情報を含むメッセージを受信した場合に、当該メッセージに含まれる識別情報を取り出し、前記専用サイト内における当該識別情報が示すエントリ項目の得票数をインクリメントする第５の工程とを有することを特徴とするコンテスト支援方法を提供する。
【０００７】
本発明では、個人情報管理サーバ装置は、応募者が応募手続きにおいて入力した個人情報を管理サーバ装置から取得し、取得した個人情報を主催者に提示する。よって、本発明によると、主催者は、管理サーバ装置から個人情報管理サーバ装置を経由して提供される個人情報を美人コンテストの開催後のマーケティング活動に利用することができる。
【図面の簡単な説明】
【０００８】
【図１】本発明の一実施形態であるコンテストシステムの構成を示すブロック図である。
【図２】同システムの動作を示すフローチャートである。
【図３】同システムにおけるFacebookページを示す図である。
【図４】同システムにおけるFacebookページを示す図である。
【図５】同システムにおけるFacebookページを示す図である。
【発明を実施するための形態】
【０００９】
以下、図面を参照しつつ本発明の実施形態について説明する。図１は、本発明の一実施形態であるコンテストシステム１の構成を示すブロック図である。このシステム１は、ソーシャルネットワーキングサービス（以下、ＳＮＳという）の一つであるFacebook（登録商標）のキャンペーンとして美人コンテストを開催するものである。このシステム１では、美人コンテストの主催者Ｘは、Facebookを管理するＳＮＳ管理サーバ装置１０内における自身の専用サイトであるFacebookページに美人コンテストの概要を示すコンテンツ情報を送信（アップロード）する。また、このシステム１では、複数のアフィリエータＹ−ｍ（ｍ＝１，２…、ｍはアフィリエータを示すインデックス）が主催者Ｘによる委託の下に美人コンテストの告知活動を行う。
【００１０】
図１に示すように、このシステム１は、ＳＮＳ管理サーバ装置１０と、個人情報管理サーバ装置１１と、アフィリエータ管理サーバ装置１２とを有する。これらのサーバ装置１０、１１、１２はインターネット９０に接続されている。インターネット９０には、主催者Ｘのコンピュータ装置２０、アフィリエータＹ−ｍ（ｍ＝１，２…）のコンピュータ装置３０−ｍ（ｍ＝１，２…）、これら以外のFacebookの閲覧者Ｚ−ｎ（ｎ＝１，２…ｎは閲覧者を示すインデックス）のコンピュータ装置４０−ｎ（ｎ＝１，２…）が接続されている。ここで、図１では、簡便のため、コンピュータ装置３０−ｍ（ｍ＝１，２…）および４０−ｎ（ｎ＝１，２…）を３つずつ示している。
【００１１】
ＳＮＳ管理サーバ装置１０は、コンピュータ装置２０、３０−ｍ、４０−ｎからFacebookにおける各種サイトの閲覧を求めるメッセージを受信し、該当のサイトの表示制御データ（サイトの表示内容をＨＴＭＬ（Hyper Text Markup Language）により記述したデータ）を返信する。個人情報管理サーバ装置１１は、閲覧者Ｚ−ｎが美人コンテストの応募者ＺＡＰ−ｎとして美人コンテストの応募手続きを行う度に、応募者ＺＡＰ−ｎが応募手続きにおいて入力した個人情報ＩＮＦをＳＮＳ管理サーバ装置１０から取得し、取得した個人情報ＩＮＦを主催者Ｘに提示する。アフィリエータ管理サーバ装置１２は、閲覧者Ｚ−ｎが美人コンテストの応募者ＺＡＰ−ｎとして美人コンテストの応募手続きを行う度に、応募者ＺＡＰ−ｎに美人コンテストの開催を案内したアフィリエータＹ−ｍの有無を判別し、アフィリエータＹ−ｍ毎の応募獲得数ＮｕｍＡ（当該アフィリエータＹ−ｍの案内により美人コンテストへの応募を行った者の数）を集計し、アフィリエータＹ−ｍ毎の応募獲得数ＮｕｍＡを主催者Ｘに提示する。
【００１２】
次に、本実施形態の動作を説明する。図２は、本実施形態の動作を示すフローチャートである。主催者Ｘは、美人コンテストの開催前に、美人コンテストの概要（応募条件や投票期間、入賞者の決定日、入賞者の特典など）を取り纏める。その上で、主催者Ｘは、自身のコンピュータ装置２０からＳＮＳ管理サーバ装置１０内における自身のFacebookページにログインし、美人コンテストの概要を示すコンテンツ情報を送信する（Ｓ１００）。ＳＮＳ管理サーバ装置１０は、主催者Ｘのコンピュータ装置２０からコンテンツ情報を受信すると、コンテンツ情報に基づいて主催者ＸのFacebookページの内容を更新する。（Ｓ１１０）。
【００１３】
図３は、このステップＳ１１０の更新後の主催者ＸのFacebookページを示す図である。図３に示すように、このFacebookページの上段には、キャンペーンのタイトルである「美人コンテスト」の文字が表示されている。「美人コンテスト」の文字の右側には、ネットワーク上における当該Facebookページの所在位置を示す文字列であるＵＲＬ（例えば、http://campaign/mcbtxとする）を記した表示欄ＷＮ−ＡＤがある。「美人コンテスト」の文字の下には、「現在のランキング」と記したボタンＢＴ−ＲＫ、および「応募する」と記したボタンＢＴ−ＡＰが左右に並べて配置されている。ボタンＢＴ−ＲＫ及びＢＴ−ＡＰの下には、「キャンペーンの詳細」という文字がある。この文字の下には、美人コンテストの概要（応募条件、東洋期間、入賞者の決定日、入賞者の特典など）を記した表示欄ＷＮ−ＳＰがある。
【００１４】
美人コンテストの開催期間において、主催者Ｘのコンピュータ装置２０は、自身のFacebookページのＵＲＬ（図３の表示欄ＷＮ−ＡＤ内のＵＲＬ）の末尾に各アフィリエータＹ−ｍの識別情報ＩＤ−ｍ（固有の４桁の数字）を付加したＵＲＬを含む電子メールメッセージＭＳ１２０−ｍであってアフィリエータＹ−ｍの電子メールアドレスを宛先とするものをインターネット９０に送出する（Ｓ１２０）。
【００１５】
より具体的に説明すると、例えば、アフィリエータＹ−１の識別情報ＩＤ−１が０００１であり、アフィリエータＹ−２の識別情報ＩＤ−２が０００２である場合、アフィリエータＹ−１を宛先とする電子メールメッセージＭＳＳ１２０−１にはFacebookページのＵＲＬの末尾に０００１を付加したＵＲＬである「http://campaign/mcbtx0001」を記述し、アフィリエータＹ−２を宛先とする電子メールメッセージＭＳＳ１２０−２にはFacebookページのＵＲＬの末尾に識別情報０００２を付加したＵＲＬである「http://campaign/mcbtx0002」を記述する。電子メールメッセージＭＳＳ１２０−ｍ（ｍ＝１〜Ｍ）の各々は、インターネット９０を経由して宛先のコンピュータ装置３０−ｍに送られる。
【００１６】
各アフィリエータＹ−ｍのコンピュータ装置３０−ｍは、電子メールメッセージＭＳＳ１２０−ｍを受信すると、その内容をディスプレイに表示させる（Ｓ１３０）。アフィリエータＹ−ｍは、美人コンテストの概要を把握し、これを不特定多数人に知らせるための告知活動を行う。より詳細に説明すると、アフィリエータＹ−ｍは、自身に宛てられた電子メールメッセージＭＳＳ１２０−ｍ内のＵＲＬ（すなわち、当該アフィリエータＹ−ｍの識別情報ＩＤ−ｍを末尾に含むＵＲＬ）と美人コンテストの概要とを記した電子メールメッセージを美人コンテストに関心がありそうな知人の電子メールアドレスに宛てて送信する。また、アフィリエータＹ−ｍは、自身に宛てられた電子メールメッセージＭＳＳ１２０−ｍ内における美人コンテストの概要とFacebookページのＵＲＬを自身のブログなどに書き込む。
【００１７】
アフィリエータＹ−ｍの告知活動やFacebook内での検索操作等を通じて美人コンテストの開催を知り、これに関心を持った閲覧者Ｚ−ｎは、自身のコンピュータ装置３０−ｍから主催者ＸのFacebookページを閲覧する操作を行う。この操作が行われると、閲覧者Ｚ−ｎのコンピュータ装置４０−ｎは、ＳＮＳ管理サーバ装置１０内における主催者ＸのFacebookページのＵＲＬ（http://campaign/mcbtx）（または、アフィリエータＹ−ｍから電子メールメッセージやブログを通じて知らされたＵＲＬ）を含むメッセージＭＳ１４０をインターネット９０に送出する（Ｓ１４０）。このメッセージＭＳ１４０は、インターネット９０を経由してＳＮＳ管理サーバ装置１０に送られる。
【００１８】
ＳＮＳ管理サーバ装置１０は、メッセージＭＳ１４０を受信すると、該当のFacebookページの表示制御データＤＤ１５０を返信する（Ｓ１５０）。コンピュータ装置４０−ｎは、表示制御データＤＤ１５０を受信すると、主催者ＸのFacebookページ（図３）をディスプレイに表示させる（Ｓ１６０）。閲覧者Ｚ−ｎは、Facebookページの表示欄ＷＮ−ＳＰ内の情報（応募条件、東洋期間、入賞者の決定日、入賞者の特典など）を確認する。そして、投票者ＺＢＬ−ｎとして美人コンテストに投票する場合はボタンＢＴ−ＲＫを選択し、応募者ＺＡＰ−ｎとして美人コンテストに応募する場合はボタンＢＴ−ＡＰを選択する。ここで、以下では、投票者ＺＢＬ−ｎのコンピュータ装置４０−ｎをコンピュータ装置４０ＢＬ−ｎと記し、応募者ＺＡＰ−ｎのコンピュータ装置４０−ｎをコンピュータ装置４０ＡＰ−ｎと記す。
【００１９】
投票者ＺＢＬ−ｎのコンピュータ装置４０ＢＬ−ｎは、ボタンＢＴ−ＲＫが選択された場合、ランキングサイトのＵＲＬを含むメッセージＭＳ１７０をインターネット９０に送出する（Ｓ１７０）。このメッセージＭＳ１７０は、インターネット９０を経由してＳＮＳ管理サーバ装置１０に送られる。
【００２０】
ＳＮＳ管理サーバ装置１０は、メッセージＭＳ１７０を受信すると、ランキングサイトの表示制御データＤＤ１８０を返信する（Ｓ１８０）。コンピュータ装置４０ＢＬ−ｎは、表示制御データＤＤ１８０を受信すると、ランキングサイトをディスプレイに表示させる（Ｓ１９０）。図４は、ランキングサイトを示す図である。このサイトの最上段には「美人コンテスト」という文字が表示されている。「美人コンテスト」の文字の下には、「現在のランキング」と記したボタンＢＴ−ＲＫと「応募する」と記したボタンＢＴ−ＡＰが左右に並べて配置されている。ボタンＢＴ−ＲＫ及びＢＴ−ＡＰの右側には、ネットワーク上における当該Facebookページの所在位置を示すＵＲＬ（http://campaign/mcbtx）を記した表示欄ＷＮ−ＡＤがある。ボタンＢＴ−ＲＫ及びＢＴ−ＡＰの下には、現在の順位が１位〜４位までの４名の応募者ＺＡＰ−ｎ（エントリ項目）の画像ＩＭＧが左右に並べて配列されている。１位〜４位までの応募者ＺＡＰ−ｎの画像ＩＭＧの下には、「投票する」と記したボタンＢＴ−ＢＬ、「画像をシェアする」と記したボタＢＴ−ＳＨ、当該応募者ＺＡＰ−ｎの最新の獲得票数ＮｕｍＢが表示されている。ここで、図４では、簡便のため、１位の応募者ＺＡＰ−ｎ以外の者の画像ＩＭＧ、ボタンＢＴ−ＢＬ、ＢＴ−ＳＨ、獲得票数ＮｕｍＢの符号の図示を割愛する。
【００２１】
ランキングサイトにおける１位〜４位の４名の応募者ＺＡＰ−ｎの画像ＩＭＧ−ＢＬ、ボタンＢＴ−ＢＬ、ＢＴ−ＳＨ、獲得票数ＮｕｍＢの下には、５位〜１６位までの応募者ＺＡＰ−ｎのそれが４人分ずつ並べて表示されている。また、ランキングサイトの最下段には、１７位〜３２位の応募者ＺＡＰ−ｎの該当画面、３３位〜４８位の応募者ＺＡＰ−ｎの該当画面、４９位〜６０位の応募者ＺＡＰ−ｎの該当画面…への切り換えボタンＢＴ−ＣＨが表示されている。投票者ＺＢＬ−ｎは、ランキングサイト内の全応募者ＺＡＰ−ｎ（エントリ項目）の中から自身の一票を投じる者を選び、選んだ者のボタンＢＴ−ＢＬを選択する操作を行う。
【００２２】
投票者ＺＢＬ−ｎのコンピュータ装置４０ＢＬ−ｎは、ランキングサイト内のボタンＢＴ−ＢＬが選択されると、選択された応募者ＺＡＰ−ｎの識別情報を含むメッセージＭＳ２００をインターネット９０に送出する（Ｓ２００）。このメッセージＭＳ２００は、インターネット９０を経由してＳＮＳ管理サーバ装置１０に送られる。
【００２３】
ＳＮＳ管理サーバ装置１０は、メッセージＭＳ２００を受信すると、メッセージＭＳ２００に含まれている識別情報を取り出し、ランキングサイト内におけるこの識別情報と対応する応募者ＺＡＰ−ｎの獲得票数ＮｕｍＢを一つインクリメントする（Ｓ２１０）。その上で、ＳＮＳ管理サーバ装置１０は、ランキングサイト内における各応募者ＺＡＰ−ｎの順位を各々の最新の獲得票数ＮｕｍＢに基づいて更新し、更新後の順位に基づいてランキングサイト内における各応募者ＺＡＰ−ｎの配置を変更する（Ｓ２２０）。
【００２４】
また、応募者ＺＡＰ−ｎのコンピュータ装置４０ＡＰ−ｎは、ボタンＢＴ−ＡＰが選択された場合、応募受付サイトのＵＲＬを含むメッセージＭＳ２３０をインターネット９０に送出する（Ｓ２３０）。このメッセージＭＳ２３０は、インターネット９０を経由してＳＮＳ管理サーバ装置１０に送られる。
【００２５】
ＳＮＳ管理サーバ装置１０は、メッセージＭＳ２３０を受信すると、応募受付サイトの表示制御データＤＤ２４０を返信する（Ｓ２４０）。コンピュータ装置４０−ｎは、表示制御データＤＤ２４０を受信すると、応募受付サイトをディスプレイに表示させる。図５は、応募受付サイトを示す図である。このサイトの上段には、「美人コンテスト」の文字が記されている。その下には、「以下の記入欄に該当の情報をご入力の上、「申し込み」を選択してください。」という文字が記されている。その下には、氏名を入力する入力欄ＢＸ−１、氏名のふりがなを入力する入力欄ＢＸ−２、生年月日を入力する入力欄ＢＸ−３、住所を入力する入力欄ＢＸ−４、電話番号を入力する入力欄ＢＸ−５、電子メールアドレスを入力する入力欄ＢＸ−６、および容姿の画像データの入力欄ＢＸ−７（画像データの選択ウィンドウの表示を指示するボタン）が配置されている。その下には、「申し込み」と記したボタンＢＴ−ＳＢが配置されている。入力欄ＢＸ−２の右側には、ネットワーク上における当該Facebookページの所在位置を示すＵＲＬ（http://campaign/mcbtx）を記した表示欄ＷＮ−ＡＤがある。応募者ＺＡＰ−ｎは、この画面における入力欄ＢＸ−１、ＢＸ−２、ＢＸ−３、ＢＸ−４、ＢＸ−５、ＢＸ−６、ＢＸ−７に該当の情報を入力した上でボタンＢＴ−ＳＢを選択する操作を行う。
【００２６】
応募者ＺＡＰ−ｎのコンピュータ装置４０ＡＰ−ｎは、ボタンＢＴ−ＳＢが選択された場合、入力欄ＢＸ−１、ＢＸ−２、ＢＸ−３、ＢＸ−４、ＢＸ−５、ＢＸ−６、ＢＸ−７に入力された情報を個人情報ＩＮＦとして含むメッセージＭＳ２５０をインターネット９０に送出する（Ｓ２５０）。このメッセージＭＳ２５０は、インターネット９０を経由してＳＮＳ管理サーバ装置１０に送られる。
【００２７】
ＳＮＳ管理サーバ装置１０は、メッセージＭＳ２５０を受信すると、このメッセージＭＳ２５０内の個人情報ＩＮＦから応募者ＺＡＰ−ｎの容姿の画像データを取り出し、この画像データを新たなエントリ項目としてランキングサイトに追加する（Ｓ２６０）。
【００２８】
また、ＳＮＳ管理サーバ装置１０は、応募者ＺＡＰ−ｎがステップＳ１４０において送信したメッセージＭＳ１４０のＵＲＬを含むメッセージＭＳ２７０をアフィリエータ管理サーバ装置１２に送信する（Ｓ２７０）。アフィリエータ管理サーバ装置１２は、ＳＮＳ管理サーバ装置１０からメッセージＭＳ２７０を受信すると、このメッセージＭＳ２７０に含まれるＵＲＬに基づいて応募者ＺＡＰ−ｎがアフィリエータＹ−ｍの案内に従って美人コンテストへの応募を行ったか否かを判定し、アフィリエータＹ−ｍの案内に従って美人コンテストへの応募を行った場合には該当のアフィリエータＹ−ｍの応募獲得数ＮｕｍＡを一つインクリメントする（Ｓ２８０）。
【００２９】
より具体的に説明すると、例えば、メッセージＭＳ２７０内のＵＲＬが末尾に識別情報０００１を付加したもの（http://campaign/mcbtx0001）である場合、当該応募者ＺＡＰ−ｎは識別情報「０００１」と対応するアフィリエータＹ−ｍの案内に従って美人コンテストへの応募を行ったとみなす。そして、この場合、識別情報「０００１」を有するアフィリエータＹ−ｍの応募獲得数ＮｕｍＡを一つインクリメントする。アフィリエータ管理サーバ装置１２は、主催者Ｘのコンピュータ装置２０から各アフィリエータＹ−ｍの応募獲得数ＮｕｍＡの閲覧を求めるメッセージを受信した場合、アフィリエータＹ−ｍの応募獲得数ＮｕｍＡを埋め込んだ画面の表示制御データをコンピュータ装置２０に送信する。
【００３０】
また、ＳＮＳ管理サーバ装置１０は、メッセージＭＳ２５０内の個人情報ＩＮＦを個人情報管理サーバ装置１１に送信する（Ｓ２９０）。個人情報管理サーバ装置１１は、ＳＮＳ管理サーバ装置１０から送信された個人情報ＩＮＦを自らのハードディスクに格納する（Ｓ３００）。個人情報管理サーバ装置１１は、主催者Ｘのコンピュータ装置２０から各応募者ＺＡＰ−ｎの個人情報ＩＮＦの閲覧を求めるメッセージを受信した場合、各応募者ＺＡＰ−ｎの個人情報ＩＮＦを埋め込んだ画面の表示制御データをコンピュータ装置２０に送信する。
【００３１】
主催者Ｘは、美人テストの開催期間が終了すると、その時点における上位１０人の応募者ＺＡＰ−ｎの電子メールアドレスに宛てて決選投票の案内を示す電子メールメッセージを送信する。また、主催者Ｘは、各アフィリエータＹ−ｍの応募獲得数ＮｕｍＡに応募者１当たりの報酬基準額を乗じすることにより求めた報酬額を各アフィリエータＹ−ｍに支払う。
【００３２】
以上が、本実施形態の構成の詳細である。本実施形態によると、次の効果が得られる。
第１に、本実施形態では、個人情報管理サーバ装置１１は、応募者ＺＡＰ−ｎが応募手続きにおいて入力した個人情報ＩＮＦをＳＮＳ管理サーバ装置１０から取得し、取得した個人情報ＩＮＦを主催者Ｘに提示する。よって、本実施形態によると、主催者Ｘは、ＳＮＳ管理サーバ装置１０から個人情報管理サーバ装置１１を経由して提供される個人情報ＩＮＦを美人コンテストの開催後のマーケティング活動に利用することができる。
【００３３】
第２に、本実施形態では、ソーシャルネットワークの一つであるFacebookにおいてコンテストを開催し、その告知をアフィリエータＹ−ｍを通じて行う。そして、アフィリエータ管理サーバ装置１２は、応募者ＺＡＰ−ｎに美人コンテストの開催を案内したアフィリエータＹ−ｍの有無を判別し、アフィリエータＹ−ｍ毎の応募獲得数ＮｕｍＡを集計し、アフィリエータＹ−ｍ毎の応募獲得数ＮｕｍＡを主催者Ｘに提示する。よって、本実施形態によると、主催者ＸからアフィリエータＹ−ｍへの報酬額の支払いを効率よく行うことができる。
【００３４】
以上、本発明の一実施形態について説明したが、かかる実施形態に以下の変形を加えてもよい。
（１）上記実施形態は、本発明を女性の美しさを競う美人コンテストに適用したものであった。しかし、猫の外見を競うコンテストやネイルアートの出来栄えを競うコンテストに本発明を適用してもよい。
（２）上記実施形態は、本発明をFacebookページを介した美人コンテストに適用したものであった。しかし、他のソーシャルネットワーキングサービスを介して美人コンテストに本発明を適用してもよい。
【符号の説明】
【００３５】
１…コンテストシステム、１０…コンテンツ支援サーバ装置、１１…個人情報管理サーバ装置、１２…アフィリエータ管理サーバ装置、２０，３０，４０…コンピュータ装置、９０…インターネット。
【図３】
2014038563.tif 000003
【図４】
2014038563.tif 000004
【図５】
2014038563.tif 000005
【図１】
2014038563.tif 000006
【図２】
2014038563.tif 000007